(57)【要約】【課題】表示開口部から水が浸入したとしても、制御基板への浸入を防止し、故障を防止できる食器洗い機を提供する。【解決手段】洗浄槽２の前方に設けられ洗浄槽２が筐体１内に収容されたときに筐体１の前面を覆うドア９と、洗浄槽２内に収容された食器類４を洗浄する洗浄装置６と、一連の洗浄運転を実行する制御装置１１と、洗浄運転を設定する操作部２１とを備え、ドア９は、洗浄槽２の前方に設けられた化粧パネル９ａと洗浄槽２を引き出すためのハンドル９ｂとを有し、操作部２１は設定ボタン１２と表示装置２２とを有し、表示装置２２は、発光部２３を含む制御基板２４と、発光部２３の光を導く導光部２６と、導光部２６により導かれた光を放射する表示開口部２７とを有し、表示開口部２７は化粧パネル９ａの上部端面９ｄに沿って設けられ、表示装置２２は、表示開口部２７から浸入した水が制御基板２４に到達しないように構成されたものである。【選択図】図５
2015167771.tif 000002
【特許請求の範囲】
【請求項１】
前面が開口された筐体と、前記筐体内に出し入れ自在に設けられた洗浄槽と、前記洗浄槽の前方に設けられ前記洗浄槽が前記筐体内に収容されたときに前記筐体の前面を覆うドアと、前記洗浄槽内に収容された食器類を洗浄する洗浄装置と、一連の洗浄運転を実行する制御装置と、前記洗浄運転を設定する操作部とを備え、前記ドアは、前記洗浄槽の前方に設けられた化粧パネルと前記洗浄槽を引き出すためのハンドルとを有し、前記操作部は設定ボタンと表示装置とを有し、前記表示装置は、発光部を含む制御基板と、前記発光部の光を導く導光部と、前記導光部により導かれた光を放射する表示開口部とを有し、前記表示開口部は前記化粧パネルの端面外側に沿って設けられ、前記表示装置は、前記表示開口部から浸入した水が前記制御基板に到達しないように構成された食器洗い機。
【請求項２】
前記表示装置は、浸入した水を制御基板に近づかない方向に誘導する誘導経路を有する請求項１記載の食器洗い機。
【請求項３】
前記発光部から照射された光を前記表示開口部に導く導光部材が前記導光部に設けられ、前記導光部材は、浸入した水を誘導する突起部を有する請求項１または２記載の食器洗い機。
【請求項４】
浸入した水を誘導する突起部が前記導光部の内面に形成された請求項１から３のうちいずれか１項記載の食器洗い機。
【請求項５】
前記表示装置は、浸入した水を吸水する吸水部材を有する請求項１から４のうちいずれか１項記載の食器洗い機。
【請求項６】
前記洗浄槽内の空気を排気する送風装置と排気口とを備え、前記排気口は前記表示開口部と一体に形成され、前記ドアの端面外側に沿って設けられた請求項１から５のうちいずれか１項記載の食器洗い機。
【発明の詳細な説明】
【技術分野】
【０００１】
本発明は食器類を洗浄する食器洗い機で、特にビルトインタイプの食器洗い機に関する。
【背景技術】
【０００２】
従来、この種の食器洗い機は図４のように構成されている（例えば、特許文献１参照）。図８は従来の食器洗い機の側面断面図で、システムキッチンに組み込まれた状態を示す。なお、破線で記載された部分は洗浄槽が引き出された状態を示す。図８に示すように、システムキッチンＫに収容された食器洗い機本体１０１内に設けられた洗浄槽１０２は、案内レール１０３により出し入れ自在に配置されている。また、洗浄槽１０２は、上面に開口を有し、食器類１０４を収容する食器かご１０５が配置されている。食器かご１０５の下方には洗浄ノズル１０６が回転自在に設けられている。洗浄槽１０２内に溜めた洗浄水をポンプ１０７が循環させ、ヒータ１０８により加熱された洗浄水を洗浄ノズル１０６より噴射して食器類１０４を洗浄する。
【０００３】
洗浄槽１０２の前方に設けられたドア１０９の上部にはハンドル１１０と排気口１１１が設けられている。第１の送風装置１１２は、洗浄槽１０２内の空気を排気口１１１より機外へ排出して食器類１０４の乾燥をする。このとき、第２の送風装置１１３は、機外の空気を洗浄槽１０２から排出された空気に排気口１１１の手前で混合し、排気される空気の温度と湿度を低下させる。これにより、排気口１１１やキッチンカウンター１１４への結露を抑制するとともに、使用者に不快感を与えることを防止している。
【０００４】
ハンドル１１０は、前面に操作部１１５を備える。操作部１１５は、洗浄プログラムを選択するなどの運転設定ができ、表示部１１５ａを有して前面から動作状態を視認することができるように構成されている。また、ドア１０９の下部にシステムキッチンＫの扉や引き出しと同じ材質からなる同じ意匠の化粧パネル１１６が取り付けられ、システムキッチンＫのデザイン性を向上させている。
【０００５】
しかしながら、特許文献１の構成において、化粧パネル１１６は、ドア１０９の大部分を占めてデザイン性を向上してはいるが、食器洗い機として特有のハンドル１１０が上部に残っている。そのため、システムキッチンＫの意匠としては、ハンドル１１０だけが異質なデザインとなっているという課題があった。
【０００６】
そこで、ドア１０９の全面を完全にシステムキッチンＫの扉の意匠に合わせることが検討されている。そのような構成になると、操作部１１５は洗浄槽２を引き出したときに見える開口の前部上面に設けることができるが、表示部１１５ａは洗浄槽２が食器洗い機本体１０１内に収納されると見えなくなってしまうという課題が発生する。そして、このような課題に対して、表示部１１５ａの光を反射させたり、導光したりする導光部を設け、ドア１０９の上部とキッチンカウンターとの隙間や、ドア１０９と左右隣の引き出しとの隙間まで光を導き、使用者が前方から動作状態を視認できるようにする技術が開示されている（例えば、特許文献２〜４参照）。
【先行技術文献】
【特許文献】
【０００７】
【特許文献１】特開２００７−０６８６０１号公報
【特許文献２】特開２００７−０９７８０４号公報
【特許文献３】特開２００７−０９７８００号公報
【特許文献４】特開２０１３−２２０２３４号公報
【発明の概要】
【発明が解決しようとする課題】
【０００８】
しかしながら、前記特許文献のうち、特許文献２および３に記載された構成では、
光を導く導光部が上を向いているため、上部から滴下してくる水を防ぐように対応する必要があり、もし何らかの原因で導光部に水が浸入して表示部を有する制御基板に達してしまうと、故障につながるという課題を有していた。
【０００９】
本発明は、前記従来の課題を解決するもので、隙間に表示部の光を導いて動作状態を視認できるようにして、ドアの前面全てにシステムキッチンの扉と同じ意匠の化粧パネルを装着できるようにし、システムキッチンのデザイン性を向上させるとともに、上方から水が浸入してきたとしても、表示部の制御基板へ水が浸入することを防止できる食器洗い機を提供することを目的とする。
【課題を解決するための手段】
【００１０】
前記従来の課題を解決するために、本発明の食器洗い機は、前面が開口された筐体と、前記筐体内に出し入れ自在に設けられた洗浄槽と、前記洗浄槽の前方に設けられ前記洗浄槽が前記筐体内に収容されたときに前記筐体の前面を覆うドアと、前記洗浄槽内に収容された食器類を洗浄する洗浄装置と、一連の洗浄運転を実行する制御装置と、前記洗浄運転を設定する操作部とを備え、前記ドアは、前記洗浄槽の前方に設けられた化粧パネルと前記洗浄槽を引き出すためのハンドルとを有し、前記操作部は設定ボタンと表示装置とを有し、前記表示装置は、発光部を含む制御基板と、前記発光部の光を導く導光部と、前記導光部により導かれた光を放射する表示開口部とを有し、前記表示開口部は前記化粧パネルの端面外側に沿って設けられ、前記表示装置は、前記表示開口部から浸入した水が前記制御基板に到達しないように構成されたものである。
【００１１】
これにより、発光部を含む制御基板への水の浸入を防止し、表示装置や操作部の誤動作や故障を防止できる。また、ドアの周囲の隙間を有効に活用して動作状態の表示の視認性を確保できるので、収納されるシステムキッチンの扉や引き出しと同じ意匠の化粧パネルをドアの前面全てに装着でき、システムキッチンのデザイン性を向上させることができる。
【発明の効果】
【００１２】
本発明の食器洗い機は、食器から滴下したりするなどした水が表示装置の表示開口部から内部に浸入した場合でも、発光部を含む制御基板に到達しないようにしたので、表示装置および表示装置を有する操作部の誤動作や故障を防止できる。また、表示開口部を化粧パネルの端面外側に沿って設けることによりドアの周囲の隙間を有効に活用して動作状態の表示の視認性を確保できるので、収納されるシステムキッチンの扉や引き出しと同じ意匠の化粧パネルをドアの前面全てに装着でき、システムキッチンのデザイン性を向上させることができる。
【図面の簡単な説明】
【００１３】
【図１】本発明の実施の形態１における食器洗い機が収納されるシステムキッチンの要部斜視図
【図２】本実施の形態における食器洗い機の側面断面図（図１のＡ−Ａ断面図）
【図３】図２の要部側面断面図
【図４】本実施の形態における食器洗い機の要部斜視図
【図５】本実施の形態における食器洗い機の側面断面図（図１のＢ−Ｂ断面図）
【図６】図５の要部側面断面図
【図７】本実施の形態における食器洗い機の要部正面図
【図８】従来の食器洗い機の側面断面図
【発明を実施するための形態】
【００１４】
第１の発明の食器洗い機は、前面が開口された筐体と、前記筐体内に出し入れ自在に設けられた洗浄槽と、前記洗浄槽の前方に設けられ前記洗浄槽が前記筐体内に収容されたときに前記筐体の前面を覆うドアと、前記洗浄槽内に収容された食器類を洗浄する洗浄装置と、一連の洗浄運転を実行する制御装置と、前記洗浄運転を設定する操作部とを備え、前記ドアは、前記洗浄槽の前方に設けられた化粧パネルと前記洗浄槽を引き出すためのハンドルとを有し、前記操作部は設定ボタンと表示装置とを有し、前記表示装置は、発光部を含む制御基板と、前記発光部の光を導く導光部と、前記導光部により導かれた光を放射する表示開口部とを有し、前記表示開口部は前記化粧パネルの端面外側に沿って設けられ、前記表示装置は、前記表示開口部から浸入した水が前記制御基板に到達しないように構成されたものである。
【００１５】
これにより、制御基板への水の浸入を防止し、表示装置や操作部の誤動作や故障を防止できる。また、表示開口部を化粧パネルの端面外側に沿って設けることによりドアの周囲の隙間を有効に活用して動作状態の表示の視認性を確保できるので、収納されるシステムキッチンの扉や引き出しと同じ意匠の化粧パネルをドアの前面全てに装着でき、システムキッチンのデザイン性を向上させることができる。
【００１６】
第２の発明は、第１の発明において、前記表示装置は、浸入した水を前記制御基板に近づかない方向に誘導する誘導経路を有するものである。これにより、確実に制御基板への水の浸入を防止できる。
【００１７】
第３の発明は、第１または第２の発明において、前記発光部から照射された光を前記表示開口部に導く導光部材が前記導光部に設けられ、前記導光部材は、浸入した水を誘導する突起部を有するものである。これにより、導光部材を伝って浸入した水を、突起部により確実に発光部に近づかないように誘導できる。また、一体に形成することで安価に構成できる。
【００１８】
第４の発明は、第１から第３のうちいずれかの発明において、浸入した水を誘導する突起部が前記導光部の内面に形成されたものである。これにより、導光部の内面を伝って浸入した水を確実に誘導し、制御基板への水の浸入を防止できる。
【００１９】
第５の発明は、第１から第４のうちいずれかの発明において、前記表示装置は、浸入した水を吸水する吸水部材を有するものである。これにより、浸入した水が少量であれば吸水部材に拡散させて容易に蒸発させることができ、多めの水であれば吸水部材を伝わせて排出し、制御基板への水の浸入を防止できる。
【００２０】
第６の発明は、第１から第５のうちいずれかの発明において、前記洗浄槽内の空気を排気する送風装置と排気口とを備え、前記排気口は前記表示開口部と一体に形成され、前記ドアの端面外側に沿って設けられたものである。これにより、ドアの周囲の隙間を有効に活用し、収納されるシステムキッチンの扉や引き出しと同じ意匠の化粧パネルをドアの前面全てに装着でき、システムキッチンのデザイン性を向上させることができる。
【００２１】
以下、本発明の実施の形態について、図を参照しながら説明する。なお、この実施の形態によって本発明が限定されるものではない。
【００２２】
（実施の形態１）
図１は、本発明の実施の形態１における食器洗い機が収容されたシステムキッチンの要部斜視図である。図２は、本実施の形態における食器洗い機の側面断面図で、図１のＡ−Ａに沿った断面図であり、引き出し方式のビルトインタイプの食器洗い機がシステムキッチンに収納された状態を示す。なお、図２において、二点鎖線で記載された部分は洗浄槽が引き出された状態を示す。図３は、図２の要部側面断面図であり、キッチンカウンター前部と食器洗い機の前上部の排気口近傍を示す。図４は、本実施の形態における食器洗い機の要部斜視図であり、ドアの上部端面に設けられた排気口を示す。
【００２３】
図１において、食器洗い機ＤはシステムキッチンＫに収納されている。食器洗い機Ｄのドア９として設けられた化粧パネル９ａの周囲には、所定寸法の隙間Ｓ１、Ｓ２、Ｓ３、Ｓ４が存在する。図２において、食器洗い機Ｄは、箱状に形成され前面が開口した筐体１の内部に洗浄槽２を備える。洗浄槽２は、上面が開口し、筐体１の両側壁の内側に水平に配設された案内レール３に懸架され、前後方向に出し入れ自在に設置されている。洗浄槽２は、内部に食器類４を整列配置するための食器かご５を有し、食器類４に洗浄水を噴射して洗浄する洗浄装置６を備えている。洗浄装置６は、洗浄槽２に給水された洗浄水を循環させる洗浄ポンプ６ａと、洗浄ポンプ６ａで圧送された洗浄水を食器類４に噴射する洗浄ノズル６ｂとを含む。また、洗浄槽２の底部には、洗浄運転の洗いステップやすすぎステップにおいては洗浄水を加熱し、乾燥ステップにおいては洗浄槽２内に送風される空気を加熱するヒータ８が配設されている。
【００２４】
洗浄槽２の前方にはドア９が設けられ、ドア９は洗浄槽２が筐体１の内部に完全に押し込まれたときに筐体１の前面を覆う。ドア９は、洗浄槽２の前方に設けられた化粧パネル９ａと洗浄槽２を引き出すためのハンドル９ｂとを有し、支持部９ｃを介して洗浄槽２に固定される。化粧パネル９ａは、食器洗い機が収納されるシステムキッチンＫの扉や引き出しと同じ意匠で同じ材質のパネルであり、ドア９の全面に装着される。ハンドル９ｂは、使用者が洗浄槽２を筐体１の外へ引き出すときに手でつかんだり指を引っ掛けたりするが、ハンドル９ｂもシステムキッチンＫの扉や引き出しと同じ意匠で同じ材質である。
【００２５】
従来の食器洗い機のドアは、その前面の大部分がシステムキッチンの扉と同じ意匠の化粧パネルが装着されていたとしてもハンドルの意匠は異なり、ロックを解除する操作レバーを内蔵していたり、操作スイッチや運転ランプなどが配設されていたりする。しかし、本実施の形態の食器洗い機Ｄは、ドア９の前面の意匠はハンドル９ｂを含めてシステムキッチンＫと完全に同じであり、一見しただけでは食器洗い機Ｄが収納されていることが判別しにくいような構成である特徴を有する。
【００２６】
洗浄槽２の上面の開口を閉塞する中蓋１０が筐体１の内側上部に設けられている。中蓋１０は裏面にパッキン１０ａを有するとともに、前後一対のリンクを含む左右一対のリンク機構１０ｂにより上下動自在に配置されている。そして、洗浄槽２の前後の動きに応じて上下に移動して洗浄槽２が筐体１の内部に完全に押し込まれたときに上面の開口を閉塞する。また、食器洗い機の洗いステップ、すすぎステップ、乾燥ステップなどの一連の洗浄運転を実行する制御装置１１が洗浄槽２とドア９の間に設置されている。さらに、使用者が一連の運転の設定などを行う操作部２１と設定ボタン１２が洗浄槽２の前部上面に設けられている。
【００２７】
洗浄槽２内に外部の空気を送風する第１の送風装置１３が洗浄槽２の底面外側に設けられ、第１の送風装置１３から連通する送風孔１４が洗浄槽２の前面下部に設けられている。洗浄槽２内の空気が排出される排出孔１５が洗浄槽２の前面上部に設けられている。そして、排出孔１５に一端が連通する排気経路１６がドア９と洗浄槽２との間に配設されている。排気経路１６は、下方に屈曲部を配した前後方向にＵ字形に形成され、他端に排気口１７を有する。
【００２８】
排気経路１６の前方に排気経路１６と前後方向で少なくとも一部が面接触し、一端が排気口１７の手前で排気経路１６に合流する送風経路１８が配設されている。送風経路１８は他端に第２の送風装置１９を有する。これにより、第１の送風装置１３により洗浄槽２内から排出孔１５と排気経路１６を経由して排出される空気は、第２の送風装置１９により送風される洗浄槽２外の空気と混合されて排気口１７から食器洗い機の機外へ排気される。
【００２９】
排気口１７は、化粧パネル９ａの前面よりも後方で化粧パネル９ａの上部端面９ｄの外側に沿って設けられ、化粧パネル９ａとキッチンカウンターＫａの隙間Ｓ１から前方へ排気するように構成されている。この構成により、収容されるシステムキッチンＫの扉や引き出しと同じ意匠の化粧パネル９ａをドア９の前面全てに装着することができるとともに、システムキッチンＫのデザイン性を向上させることができる。
【００３０】
そして、図２と図３に示すように、排気口１７と、排気口１７の近傍で化粧パネル９ａの上部に位置する排気経路１６とは、横方向に長い下部の長面となる部分が化粧パネル９ａの上部端面９ｄで構成されている。すなわち、横方向に長い上部の長面１６ａと上下方向に短い左右の短部１６ｂが排気経路１６として他の部分と一体で成形されており、左右の短部１６ｂの下端が化粧パネル９ａの上部端面９ｄに当接することにより細長い矩形の排気口１７が形成される。また、排気口１７の適当な位置に、短部１６ｂと平行に少なくとも１箇所のリブ１６ｃが化粧パネル９ａの上部端面９ｄと当接するように形成されている。そして、左右の短部１６ｂとリブ１６ｃの下端は、化粧パネル９ａが支持部９ｃに固定されるときに化粧パネル９ａの上部端面９ｄが当接し、上方向の位置を規制する。
【００３１】
さらに、図２において、温度センサー２０が洗浄槽２の底面外側に設けられている。制御装置１１は、温度センサー２０により洗浄槽２に洗浄水がない運転直後に雰囲気温度を検知し、洗浄水が給水された後の洗いステップとすすぎステップでは洗浄水の温度を検知し、乾燥ステップでは洗浄槽２内の空気の温度を検知する。制御装置１１は、温度センサー２０の信号によって洗いステップ、すすぎステップ、乾燥ステップを制御し、洗浄運転を実行する。また、制御装置１１は、第１の送風装置１３と第２の送風装置１９の運転時間を制御する。そして、乾燥ステップに入ると、運転開始直後に検知した雰囲気温度に応じて、第１の送風装置１３と第２の送風装置１９との運転時間の組合せを制御し、洗浄槽２からの高温高湿の空気と外部の空気との混合割合を調節する。これにより、排気口１７から排気される空気の温度と湿度を低下させ、周囲への結露を防止するとともに使用者に不快感を与えないようにしている。
【００３２】
つぎに、洗浄運転を設定する操作部と、操作部に設けられた表示装置の構成について詳細に説明する。図５は、本実施の形態における食器洗い機の側面断面図で、図１のＢ−Ｂに沿った断面図である。図６は、図５の要部側面断面図であり、洗浄槽の前上部の操作部近傍を示す。図７は、本実施の形態における食器洗い機の要部正面図であり、ドア上部端面に設けられた表示装置の表示開口部と排気口の近傍を示す。図３の斜視図は食器洗い機を正面から見て左側の排気口近傍を示したが、図７は食器洗い機を正面から見て右側の開口部近傍を示す。
【００３３】
図５と図６において、洗浄槽２の前部上面に設けられた操作部２１は、洗浄プログラムの選択を受け付ける設定ボタン１２と、受け付けた状態を表示する表示装置２２とを有している。表示装置２２は、発光部２３（例えばＬＥＤランプ）を備えた制御基板２４と、発光部２３の光を導く導光部材２５が設けられた導光部２６と、導光部２６により導かれた光を放射する表示開口部２７とを有している。図７において、上述した排気口１７と表示開口部２７とは一体で構成され、ドア９に設けられた化粧パネル９ａの端面外側の１つ
である上部端面９ｄに沿って設けられている。
【００３４】
使用者は、操作部２１の設定ボタン１２により食器洗い機の洗浄プログラムを選択する。設定ボタン１２の入力を受け付けたり、動作状態などを表示する発光部２３を制御したりする制御基板２４は、設定ボタン１２の下方に配設されている。発光部２３は制御基板２４に実装されている。そのため、設定ボタン１２を透過性にしたとしても、洗浄運転を実行するために洗浄槽２が筐体１に収納されれば、使用者は発光部２３の光を視認することができなくなる。そこで、本実施の形態では、発光部２３から導光部２６が形成され、発光部２３の光は、導光部２６の先端に設けられた表示開口部２７から放射されるように構成されている。
【００３５】
導光部２６は、例えば、内面に反射体を形成して連続反射で光を導いてもよいが、本実施の形態では、光を透過する樹脂で形成した導光部材２５が内部に設けられている。導光部材２５は、導光部２６の形状に沿って屈曲した形状をなし、導光部材２５の上端は表示開口部２７から見えるように設けられ、下端は制御基板２４の発光部２３の直上に設けられている。これにより、導光部材２５は発光部２３から照射された光を表示開口部２７まで導き、表示開口部２７から前方に光を放射する。そして、使用者は、ドア９上部の隙間Ｓ１を通して放射された光を表示として視認できる。また、上述した排気口１７と同様に、この構成により、収容されるシステムキッチンＫの扉や引き出しと同じ意匠の化粧パネル９ａをドア９の前面全てに装着することができるとともに、システムキッチンＫのデザイン性を向上させることができる。
【００３６】
さらに、導光部材２５の後面２５ａと前面２５ｂには、それぞれ導光部２６の横方向に沿って突起部２８と突起部２９とが一体に形成されている。後面２５ａの突起部２８は、発光部２３より前方の屈曲部２５ｃの近傍に上方向に設けられ、導光部材２５の垂直部分とで溝部３０を形成している。溝部３０には、図示しない前面に向けた開口または側面の開口が設けられている。また、前面２５ｂの突起部２９は、発光部２３より前方の屈曲部２５ｃの近傍に下方向に設けられている。さらに、導光部材２５の後面２５ａに対向する導光部２６の内面下部に下方向の突起部３１が一体に形成されており、溝部３０の内側に挿入されている。
【００３７】
以上のように構成された食器洗い機について、以下その動作、作用を説明する。使用者がドア９に設けられたハンドル９ｂをつかんで洗浄槽２を筐体１から引き出し、洗浄槽２内に配置された食器かご５に汚れた食器類４を配置する。次に洗剤を入れ、操作部２１にある設定ボタン１２により運転コースを選択し、運転開始のボタンを押す。そして、洗浄槽２を筐体１内の収納位置まで押し込む。このとき、中蓋１０はリンク機構１０ｂにより後方かつ下方に移動し、洗浄槽２の開口を閉塞する。同時に、マイクロスイッチ（図示せず）は洗浄槽２が完全に押し込まれた位置にあることを検知して検知信号を制御装置１１に送り、制御装置１１は洗浄運転を開始する。
【００３８】
制御装置１１は、洗浄運転を開始すると、給水弁（図示せず）を開いて洗浄水となる水道水を給水する。さらに、洗浄槽２に配置されたヒータ８によって洗浄水を加熱しながら、洗浄ノズル６ｂから食器類４に向かって噴射し、食器類４の汚れを落とす洗いステップを行う。その後、すすぎステップとして複数回洗浄水を入れ替えてすすぎを行った後、新たに給水した洗浄水をヒータ８によって約８０℃に加熱しながらすすぐ加熱すすぎステップを行う。その後、洗浄水を排水し、ヒータ８によって洗浄槽２内の空気を加熱しながら、第１の送風装置１３によって水分を多く含んだ高温空気を排出孔１５より排出して食器類４および洗浄槽２の内部を乾かす乾燥ステップを行い、所定の時間や所定の温度に到達することにより運転を終了する。
【００３９】
つぎに、洗浄運転における操作部２１の動作、作用について説明する。操作部２１に含まれる表示装置２２において、発光部２３は、発光色を変化させることができ、また点灯したり点滅したりして、動作状態を表示する。本実施の形態では、洗浄工程中は青色、乾燥工程中は橙色に点灯し、使用者に動作状態を知らせる。さらに異常発生時には素早く点滅し、ブザー音とともに使用者に報知する。
【００４０】
また、食器洗い機はシステムキッチンＫにビルトインされているため、使用者が食器類４をセットする前にシンクでの下洗いなどで飛散した水や、セットするときに使用者の濡れた手や濡れた食器類４から滴る水が、化粧パネル９ａや操作部２１に付着する。しかしながら、操作部２１に設けられた制御基板２４に水が浸入することは故障を招くため、これを防止する必要がある。本実施の形態では、導光部材２５に形成された突起部などにより水を排除する誘導経路を構成し、制御基板２４に水が浸入することを防止しているので、その作用について説明する。
【００４１】
表示開口部２７は化粧パネル９ａの上部端面９ｄで前方に開放されている。そのため、表示開口部２７から水が浸入する可能性がある。少量の水であれば、化粧パネル９ａが取り付けられたわずかな隙間に吸引されるなどして導光部材２５には達せず、操作部２１内に浸入することはない。ただし、水の量が多い場合や直接導光部材２５に水が付着した場合、水は操作部２１内に浸入して導光部材２５や導光部２６の内面を伝い落ちる。
【００４２】
このとき、導光部材２５の前面２５ｂを伝った水は、導光部材２５の屈曲部２５ｃの近傍に下向きに形成された突起部２９に遮られて滴下し、発光部２３や制御基板２４に到達することはない。また、導光部材２５の後面２５ａを伝った水は、導光部材２５の屈曲部２５ｃの近傍に一体に設けられた突起部２８により形成された溝部３０に溜まり、図示しない前面に向けた開口または側面の開口から下方に排出され、発光部２３や制御基板２４に到達することはない。
【００４３】
さらに、導光部材２５の後面２５ａに対向する導光部２６の内面を伝った水は、導光部２６の内面下部に下方向に形成された突起部３１により溝部３０に導かれ、前面に向けた開口または側面の開口から下方に排出され、発光部２３や制御基板２４に到達することはない。
【００４４】
このようにして、導光部材２５などに形成された突起部２８、２９、３１と溝部３０により誘導経路が構成され、操作部２１に浸入した水は確実に排出されて発光部２３や制御基板２４に到達することはなく、操作部２１や表示装置２２の誤動作や故障を防止することができる。
【００４５】
また、導光部材２５と導光部２６の内面との間に吸水部材（図示せず）を配設してもよい。この構成により、浸入した水が少量であれば吸水部材に拡散させて容易に蒸発させることができる。また、多めの水であれば吸水部材を伝わせて誘導経路として排出し、制御基板への水の浸入を、より確実に防止することができる。
【００４６】
通常、キッチンカウンターＫａと化粧パネル９ａの上部端面９ｄとの隙間Ｓ１は数ミリ程度と狭い。その狭い隙間Ｓ１へ排気経路および排気口を設けて機外へ排気したり、表示開口部２７を設けて表示したりする構成とした場合、排気口１７および表示開口部２７の高さ寸法は非常に小さくなる。そこで、本実施の形態のように、排気経路１６の下部の長面に相当する部分を化粧パネル９ａの上部端面９ｄで構成すれば、排気経路１６および排気口１７の面積を最大限に確保することができるため、必要な風量を確保して乾燥性能の低下を防止することができる。同様に、表示開口部２７の下部の長面に相当する部分を化粧パネル９ａの上部端面９ｄで構成すれば、表示開口部２７の面積を最大限に確保するこ
とができるため、導光部材２５を介して表示開口部２７から放射される光量も多くなり、前方からの視認性を向上させることができる。
【００４７】
また、排気口１７および表示開口部２７は化粧パネル９ａの前面より後方に配置されているため、食器洗い機がシステムキッチンＫに収納された状態において使用者からは直接は見えにくく、特にキッチンカウンターＫａの近くに立てば見えなくなる。そのため、ドア９の意匠を合わせた食器洗い機が収納されるシステムキッチンＫのデザイン性を損なうことがない。ただし、表示開口部２７から放射された光は化粧パネル９ａの上部端面９ｄを照らすため、使用者がキッチンカウンターＫａの近くに立っても、動作状態の表示を視認することができる。
【００４８】
また、ドア９に取り付けられる化粧パネル９ａは、ドア９に隣り合うシステムキッチンＫの扉や引き出しの上下位置に合わせて微調整される。そのため、排気口１７が化粧パネル９ａに閉塞されて排気が阻害されたり、表示開口部２７が閉塞されて光の放射が阻害されるおそれがある。しかしながら、本実施の形態によれば、短面１６ｂとリブ１６ｃの下端により上方向への取り付け位置が規制されるため、排気口１７からの排気や表示開口部２７からの光の放射が阻害されることはない。さらに、化粧パネル９ａをドア９の支持部９ｃへ固定する際に、短面１６ｂとリブ１６ｃの下端に合わせて位置決めできるため、作業性が向上する。
【００４９】
なお、本実施の形態では、排気口１７および表示開口部２７が一体に形成されるとともに化粧パネル９ａの上部端面９ｄに設けられ、化粧パネル９ａとキッチンカウンターＫａの隙間Ｓ１に配設される構成としているが、これに限るものではない。例えば、排気口１７と表示開口部２７が別々に構成されて離れて設置されてもよい。また、そのいずれであっても、化粧パネル９ａの左右の端面外側に沿って設けられて化粧パネル９ａとシステムキッチンＫの扉との左右隙間Ｓ３、Ｓ４に配設されたり、化粧パネル９ａの下部端面の隙間Ｓ２に設けられたりする構成としてもよい。そして、それぞれの方向に対して排気口１７や表示開口部２７が化粧パネル９ａの取り付け位置を規制するようにしてもよい。
【００５０】
以上のように、食器洗い機において、洗浄槽の空気を排気する排気口が化粧パネルの端面外側に沿って設けられることにより、収納されるシステムキッチンの扉や引き出しと同じ意匠の化粧パネルをドアの前面全てに装着できるとともに、システムキッチンのデザイン性を向上させることができる。
【００５１】
また、表示装置の表示開口部が化粧パネルの端面外側に沿って設けられ、表示装置は、表示開口部から浸入した水が制御基板に到達しないように構成されることにより、発光部を含む制御基板への水の浸入を防止し、表示装置や操作部の誤動作や故障を防止できる。また、ドアの周囲の隙間を有効に活用して動作状態の表示の視認性を確保できるので、収納されるシステムキッチンの扉や引き出しと同じ意匠の化粧パネルをドアの前面全てに装着でき、システムキッチンのデザイン性を向上させることができる。
【産業上の利用可能性】
【００５２】
以上のように、本発明にかかる食器洗い機は、表示開口部から浸入した水が前記制御基板に到達しないように構成されたことにより、発光部を含む制御基板への水の付着を防止し、表示装置や操作部の誤動作や故障を防止できるとともに、ドアの周囲の隙間を有効に活用して動作状態の表示の視認性を確保できるので、収納されるシステムキッチンの扉と同じ意匠の化粧パネルが前面全てに施されたデザイン性の優れた食器洗い機を提供することができる。
【符号の説明】
【００５３】
１  筐体
２  洗浄槽
４  食器類
６  洗浄装置
６ａ  洗浄ポンプ
６ｂ  洗浄ノズル
９  ドア
９ａ  化粧パネル
９ｂ  ハンドル
９ｃ  支持部
９ｄ  上部端面
１１  制御装置
１２  設定ボタン
１３  第１の送風装置
１７  排気口
１８  送風経路
１９  第２の送風装置
２１  操作部
２２  表示装置
２３  発光部
２４  制御基板
２５  導光部材
２６  導光部
２７  表示開口部
２８  突起部（誘導経路）
２９  突起部（誘導経路）
３０  溝部（誘導経路）
３１  突起部（誘導経路）
【図１】
2015167771.tif 000003
【図２】
2015167771.tif 000004
【図３】
2015167771.tif 000005
【図４】
2015167771.tif 000006
【図５】
2015167771.tif 000007
【図６】
2015167771.tif 000008
【図７】
2015167771.tif 000009
【図８】
2015167771.tif 000010